(57)【特許請求の範囲】
【請求項１】
パチンコ用の遊技球(N)を、駆動源に直線往復動式の発射ソレノイド(23)を有する形態の打球発射装置(F)により遊技盤(G)内に打込んでパチンコゲームを展開し得る遊技機に実施されて、遊技球(N)を１球ずつ発射レール(7)の発射位置(T)に送り込むようにした球送り装置にあって、
遊技機の前側に開閉可能に装着された上球皿(D)の裏側所定位置に着脱可能に取着セットされるケース体(33)と、このケース体(33)に成形された取着部(37)にビス着される支持鉄片(40)の一方にコイルを巻回して磁力発生部(41)を装着すると共に、該磁力発生部(41)で発生した磁力を支持鉄片(40)の一端の磁着部(42)に集中的に作用するよう１部品単位で構成され、前記打球発射装置(F)の打球作動にタイミングを合わせて励磁,消磁の作動制御が行なわれる球送りソレノイド(39)と、該ケース体(33)の収容室(38)に横向きに収容された状態で、上辺に磁性片(47)が取着された本体(44)の上端側が支軸(48)を介して昇降動可能に組付け支持されると共に、該収容室(38)に設けたストッパー(49,50)により昇降位置,変位量が規制され、前記球送りソレノイド(39)の励磁,消磁の作動毎に磁着部(42)および磁性片(47)を介して球送り動作を行なう球送り体(43)とを備えて全体がカセット形式に構成されて取扱い得るようになっており、
前記ケース体(33)では、前後方向に開通されて入口(35)を前記上球皿(D)の球出口(9)に整合し出口(36)を前記発射レール(7)に連絡した直通路(34)を形成し、前記球送り体(43)では、１個の遊技球を受け載せ得る入口(35)から出口(36)に向けて適宜勾配で下方傾斜する受け面(45a)を有する球受け部(45)を形成して、同球受け部(45)を直通路(34)の出口(36)より下降させた第１の規制位置と、出口(36)より上昇させた第２の規制位置とに昇降変位可能とし、また前記直通路(34)の出口(36)を画成する底部(60)を受け面(45a)の勾配と略同一勾配で傾斜させ、
前記球送りソレノイド(39)の作動に対する球送り体(43)の昇降動作において、球受け部(45)が第１の規制位置にある状態では、上球皿(D)の球出口(9)に位置する第１の遊技球(N)を解放して直通路(34)内に受け入れて受け面(45a)上に受けたまま出口(36)の内下端で通出阻止し、球受け部(45)が第２の規制位置にある状態では、上球皿(D)の球出口(9)に位置する第２の遊技球(N)を拘束して直通路(34)内への通入を阻止し受け面(45a)上の第１の遊技球を出口(36)から前記発射レール(7)側へ送り出すように設定した
ことを特徴とするパチンコ遊技機の球送り装置。
【発明の詳細な説明】
【０００１】
【発明の属する技術分野】
この発明は、パチンコ遊技機の球送り装置に関し、更に詳しくは、遊技盤内でパチンコゲームを展開し得る遊技機において、打球発射操作作動に関連して遊技球を１球ずつ機内の発射位置に送り込むようにした球送り装置に関するものである。
【０００２】
【従来の技術】
パチンコ機やアレンジボール機に代表されるこの種の遊技機では、パチンコゲーム用の遊技球を１球ずつ機内の発射位置に送り込む手段として、打球発射装置と共動される各種形態の球送り装置が採用されて、上球皿と発射レールとの間に実施されている。このような球送り装置の基本的な構成としては、所定の形状,サイズのケース本体に、上球皿の球出口に連通する球受け口(球受け路)と、発射レールの発射位置側に連絡される球送り口とを形成して互いに連絡すると共に、球受け口に入って球送り口から出される遊技球の球送り動作を行なう球送り部材を組付けて双方の口に対する所定位置に臨ませている。そして球送り装置自体の一般的な形態別において、駆動モータ式の打球発射装置に対する併用例では、球送り部材が打球杆の１回毎の作動に機械的な連繋作動部材を介して１回ずつ連動するタイプ、駆動ソレノイド式の打球発射装置に対する併用例では、球送り部材がケース本体に取着された作動用の電磁ソレノイドの作動毎に１回ずつ動作されるタイプが広く使用されている。
【０００３】
前述した何れのタイプの球送り装置にあっても、一般的には上球皿の球出口の裏側、つまり上球皿裏面に組付けられた開閉板の出口裏側に、ケース本体の球受け口(球受け路)を合わせて取着セットされる。そして遊技にあたり、上球皿内に投入された遊技球(遊技中の排出賞球を含む)の最先行側の１個〜複数個を、予め球出口から球受け口内に受け入れて一旦停留保持した状態で待機される。このもとで遊技操作(打球発射操作)に基づく球送り部材の動作に追従して球受け口内の第１番目の遊技球を球送り口内に通入させた後に発射位置側へ送り込み、以降同様に球の受け入れおよび送り出しを含む球送り動作を行なうようになっている。これにより、設定時間間隔(１００個／分以内)で継続される打球発射作動に合わせて１回ずつ球送り動作を遂行して、遊技球を発射位置に送り込み、待機させることが可能とされている。
【０００４】
【発明が解決しようとする課題】
ところでパチンコ遊技機に装備される近年の球送り装置については、装置全体の小型化を図る前提として、上球皿からの遊技球を１個ずつ受け入れて送り出す１球処理タイプのものが望まれており、具体的には、上球皿の裏側に取着セットされるケース体において、上球皿の球出口と整合する上位の球受け口と、発射レールの発射位置側に連絡される下位の球送り口とを夫々形成して、双方の口を１つの段差路で連絡する一方、前記連繋作動部材や電磁ソレノイドで作動される球送り規制部材として、球受け口に臨む第１規制部と球送り口に臨む第２規制部とを所定の球送り関係位置に形成した可動レバー式の球送り体を組込んだ形態のものが、既に実施されつつある。
【０００５】
しかしながら、このような形態の球送り装置では、ある程度までの小型化が可能であるとしても、現実の設計、製作においては、双方の口および段差路を含む形状、第１,第２規制部を含む球送り体の形状等にかなり高度で複雑な技術が要求され、１基当たりが高価となる面があった。またこの種の球送り装置では、上球皿の球出口と発射レールの発射位置との間に、充分な高低落差が許容される条件の場合、言換えると、球出口、球受け口、球送り口、発射位置に亘って相応な段差が取り得る条件においては好適に実施し得るとしても、上球皿の組付け位置と発射レールの設置位置との関係により、球出口と発射位置との間の高低落差が小さくなる条件の遊技機においては、望ましい単位時間当りの球送り(受け入れおよび送り出し)ができず、実施が不向き、不能とされていた。
【０００６】
【発明の目的】
本発明は、前述した従来の球送り装置に内在している欠点に鑑み、これを好適に解決するべく提案されたものであって、打球発射作動に対応した毎回の球送り動作において、上球皿の球出口から直通路内に受け入れた遊技球を、昇降変位する球受け部で押上げて発射レールの発射位置側へ直送し、球出口と発射位置との間の高低落差が小さくとも好適に実施して正確に球送りができるようにした小型で安価な球送り装置を提供することを目的とする。
【０００７】
【課題を解決するための手段】
前記課題を解決し、所期の目的を達成するため本発明は、パチンコ用の遊技球を、駆動源に直線往復動式の発射ソレノイドを有する形態の打球発射装置により遊技盤内に打込んでパチンコゲームを展開し得る遊技機に実施されて、遊技球を１球ずつ発射レールの発射位置に送り込むようにした球送り装置にあって、
遊技機の前側に開閉可能に装着された上球皿の裏側所定位置に着脱可能に取着セットされるケース体と、このケース体に成形された取着部にビス着される支持鉄片の一方にコイルを巻回して磁力発生部を装着すると共に、該磁力発生部で発生した磁力を支持鉄片の一端の磁着部に集中的に作用するよう１部品単位で構成され、前記打球発射装置の打球作動にタイミングを合わせて励磁,消磁の作動制御が行なわれる球送りソレノイドと、該ケース体の収容室に横向きに収容された状態で、上辺に磁性片が取着された本体の上端側が支軸を介して昇降動可能に組付け支持されると共に、該収容室に設けたストッパーにより昇降位置,変位量が規制され、前記球送りソレノイドの励磁,消磁の作動毎に磁着部および磁性片を介して球送り動作を行なう球送り体とを備えて全体がカセット形式に構成されて取扱い得るようになっており、
前記ケース体では、前後方向に開通されて入口を前記上球皿の球出口に整合し出口を前記発射レールに連絡した直通路を形成し、前記球送り体では、１個の遊技球を受け載せ得る入口から出口に向けて適宜勾配で下方傾斜する受け面を有する球受け部を形成して、同球受け部を直通路の出口より下降させた第１の規制位置と、出口より上昇させた第２の規制位置とに昇降変位可能とし、また前記直通路の出口を画成する底部を受け面の勾配と略同一勾配で傾斜させ、
前記球送りソレノイドの作動に対する球送り体の昇降動作において、球受け部が第１の規制位置にある状態では、上球皿の球出口に位置する第１の遊技球を解放して直通路内に受け入れて受け面上に受けたまま出口の内下端で通出阻止し、球受け部が第２の規制位置にある状態では、上球皿の球出口に位置する第２の遊技球を拘束して直通路内への通入を阻止し受け面上の第１の遊技球を出口から前記発射レール側へ送り出すように設定したことを特徴とする。
【０００８】
【作用】
上球皿の裏側所定位置に着脱可能に取着セットされるケース体内に、前後方向に開通されて入口を上球皿の球出口に整合し出口を発射レールに連絡した直通路が形成されると共に、１個の遊技球を受け載せ得る適宜勾配の受け面を有する球受け部を形成した球送り体が昇降動可能に組付け支持される。この球送り体は、打球発射装置の打球作動にタイミングを合わせて作動される作動手段の作動毎に、球受け部を直通路の出口より下降させた第１の規制位置と、出口より上昇させた第２の規制位置とに昇降変位する球送り動作を行なう。すなわち、前記作動手段の作動前において球受け部が第１の規制位置に臨む状態では、上球皿の球出口に位置する第１の遊技球は直通路内に受け入れられて球受け部の受け面上に受けられたまま出口の内下端で通出阻止されている。そして、前記作動手段の作動により球受け部が第１の規制位置から第２の規制位置に向けて上昇変位すると、上球皿の球出口に位置する第２の遊技球を拘束して直通路内への通入を阻止すると共に、受け面上の第１の遊技球を出口から前記発射レール側へ送り出す。
【０００９】
【発明の実施の形態】
次に、本発明に係るパチンコ遊技機の球送り装置について、好適な実施例を挙げて、添付図面を参照しながら以下詳細に説明する。なお、本実施例の球送り装置については、ソレノイド駆動形式の打球発射装置を装備したパチンコ機およびアレンジボール機の何れにも簡単な変更で使用可能とされた電磁ソレノイド式の球送り装置にあって、便宜上パチンコ機に使用された場合を主に説明する。
【００１０】
先ず本実施例のパチンコ機について、その基本的構成を図１および図２を参照して要約説明すると、外枠Ａの開口全面側に対して開閉および着脱が可能に組み付けられた前枠Ｂにおいて、共通の遊技構成部材であるガラス窓Ｃと上球皿Ｄが開閉および着脱可能に組付けセットされると共に、下球皿Ｅと打球発射装置Ｆが装備セットされており、また裏側に球処理部等を備えた機構セット盤(図示しない)が装備されている。前枠Ｂでは、全体が合成樹脂成形されたタイプにおいて、内側に窓枠口２を開口した枠体１と、この枠体１の裏側に一体成形されて窓枠口２の正面内部に臨む遊技盤用のセット口を開口した保持枠４とが、前後に連設された内外二重枠形態とされている。そして枠体１においては、窓枠口２の下部に下球皿Ｅおよび打球発射装置Ｆの一部等を設置するための設置部３が成形され、一方保持枠４においては、窓枠口２の下部内側に位置する遊技補助盤６が一体成形されて、その前面右側に後述する支持盤２２を介して発射レール７が位置決め固定されており、またこの補助盤６の上端緑を基準に開口成形されたセット口に遊技盤Ｇを着脱可能に収容セットし得るようになっている。
【００１１】
このようなパチンコ機において、前記上球皿Ｄでは複数の皿構成部材を組合わせてユニット化され、前枠Ｂの枠体１の左端側に横開きおよび着脱可能に装着される１枚の開閉板８前面に組付けセットされており、そして開閉板８の裏面には最下流端(図示右端)に成形された球出口９に連絡される後述の球送り装置Ｈがセットされ、また球出口９底面に連絡された内部の球抜き経路１０に対して球抜き機構１１が組込まれている(図２参照)。一方前記下球皿Ｅでは、前枠Ｂの枠体１の設置部３全面に取着される１枚のセット支板と複数の皿構成部材とを組合わせてユニット化されており、そして上球皿Ｄの球抜き経路１０と連通する球戻し路(図示せず)と球抜き機構１３が夫々成形,組込まれ、また右側部に打球発射装置Ｆの操作ハンドル部Ｆ1を組付けセットするための保持部１４が成形されている(図２参照)。ちなみに、双方の球皿Ｄ,Ｅは共に図示外郭形状に構成されて、下球皿Ｅの水平上面に上球皿Ｄが整合状態で載置保持されるようになっている。
【００１２】
また前記打球発射装置Ｆでは、駆動源に直線往復動式の電磁ソレノイド(発射ソレノイドともいう)を有する形態で、基本的な構成として図１および図２に示すように、球円筒形グリップ状にユニット構成されて下球皿Ｅの保持部１４に着脱可能に組付けセットされた操作ハンドル部(単にハンドル部ともいう)Ｆ1と、前枠Ｂの設置盤３裏側にベース単位で設置されてハンドル部Ｆ1での検出入力条件に基づいて発射ソレノイド２３の駆動による打球杆２４の直線の打球動作を行なう打球作動部Ｆ2および発射部Ｆ3と、打球作動部Ｆ2を制御する駆動制御部(図示せず)等を備えている。ハンドル部Ｆ1では、図２に略示するように、回動式の操作レバー１６を有する把持体１５に、電気的な操作用入力手段としての可変抵抗器(ボリュームスイッチともいう)１７、スイッチ１８およびタッチ感知環１９が組付けられて、これらの入力手段１７,１８,１９が把持体１５内の集合コネクタ２０に集約して配線接続され、同コネクタ２０に接続した中継コネクタ２１および配線を介して駆動制御部に接続される。
【００１３】
また前記打球作動部Ｆ2では、発射部Ｆ3と併合された形態を例示し、発射レール７のセットベースでもある合成樹脂成形の支持盤２２に駆動源用の直動式の発射ソレノイド２３が設置され、このソレノイド２３の長手方向にプランジャ形式の打球杆２４が、設定された打出し角で挿通支持されている。そして発射ソレノイド２３のパルス通電励磁毎に始端から終端の設定ストロークを直線往復動して、発射位置Ｔに送り込まれて停止している遊技球Ｎを打出し得るようになっている。また発射部Ｆ3では、前記支持盤２２の左側前面に、所定長の発射レール７が固定されている。この発射レール７については、断面Ｍ字形で曲率半径の大きい円弧に基いて成形されており(図７参照)、そして設定発射角で位置決めセットされてビス固定される。なお、前記駆動制御部では、球送り・発射に係る各々の電気的部品の総括的な入出力制御をなすものである。
【００１４】
前述したパチンコ機に実施された本実施例の球送り装置Ｈは、前記打球発射装置Ｆの打球作動とタイミングを合わせて球送り動作を行ない得る電動制御部形態の例にあって、基本的な構成として図２,図３および図４に示すように、合成樹脂成形された１つのケース体３３に、作動手段である電磁ソレノイド(球送りソレノイドともいう)３９と、昇降レバー形式の球送り体４３とを組付けて、全体がカセット形式に構成されて取扱い得るようになっている。そして前記上球皿Ｄの開閉板８裏面において、ケース体３３が球出口９に合わせて着脱可能にビス止めセットされて、球送りソレノイド３９が前記駆動制御部に接続されたもとで、前記操作ハンドル部Ｆ1での入力条件(スイッチ１８およびタッチ感知環１９の検出条件)に基づいて、球送りソレノイド３９が設定時間毎に１回ずつパルス制御作動されることに対して、球送り体４３が１回毎に昇降変位して遊技球１個ずつに対する球送り動作を行ない、球出口９から受け入れた遊技球Ｎを前記発射レール７の発射位置Ｔに送り出し得るようになっている。
【００１５】
このような球送り装置Ｈにおける各部の具体的な構成として、先ずケース体３３では、その略中央部に、前後方向に開通されて入口３５を前記球出口９に整合して出口３６を発射位置Ｔ側に連絡し得る１つの直通路３４を球１個分に適した広さをもって成形しており、そして直通路３４の側方に球送りソレノイド３９の取着部３７と、球送り体４３の収容室３８とを夫々成形している。また球送りソレノイド３９では、ケース体３３の取着部３７にビス着される支持鉄片４０の一方にコイルを巻回した磁力発生部(ボビンともいう)４１を装着して、１部品単位で構成されて取扱い得るようになっている。そして、前記駆動制御部からのパルス通電制御により磁力発生部４１で発生した磁力を、支持鉄片４０の一端の磁着部４２に集中的に作用させて、球送り体４３を昇降操作し得るようになっている。なお、このソレノイド３９の磁力発生部４１に接続された配線は、前記上球皿Ｄの開閉板８裏側から前枠Ｂの設置部３裏側を経由して、駆動制御部に接続される。
【００１６】
一方球送り体４３は、図５および図６に示すように、本体４４と球送り用の球受け部４５を合わせて１つに樹脂成形されて本体４４の上辺に磁性片(鉄片)４７を取着しており、ケース体３３の収容室３８内に横向きに収容された状態で、本体４４の上側端が支軸４８に支持されて球受け部４５を直通路３４側に延出している。そしてこの球送り体４３は、収容室３８に設けたストッパー４９,５０により昇降位置,変位量が規制されているもとで、球送りソレノイド３９の励磁,消磁に伴い磁着部４２および磁性片４７を介して昇降変位し得、作動前では自重により下降端に保持されて球受け部４５を直通路３４の出口３６より下降させた第１の規制位置(図７)とされ、また作動時では上昇端に保持されて球受け部４５を直通路３４の出口３６より上昇させた第２の規制位置(図８)とされるようになっている。そして球受け部４５は、直通路３４内の遊技球Ｎを発射レール７に向けて送り出すと共に、上球皿Ｄの球出口９に臨む遊技球Ｎと直通路３４に入った遊技球Ｎとを分離するよう構成される。
【００１７】
前記球受け部４５は、１個の遊技球Ｎを受け載せ得る受け面４５ａを有し、該受け面４５ａは、図９に示す如く、入口３５から出口３６に向けて適宜勾配で下方傾斜するよう設定されている。また直通路３４の出口３６を画成する底部６０は、受け面４５ａの勾配と略同一の勾配で傾斜し、球受け部４５で押上げられた遊技球Ｎは、受け面４５ａから底部６０に移行して該底部６０に沿って発射レール７に向けて通出される。なお、本体４４の裏側(発射レール７を指向する側)には、前記出口３６と発射レール７との間に延在する球渡し部６１が設けられ、出口３６から通出した遊技球Ｎは該球渡し部６１を介して発射レール７に受け渡されるようになっている。
【００１８】
ここで、前記球受け部４５における受け面４５ａは、図９(ｃ)に示す如く、第２の規制位置に対応する位置Ｐ１に至る直前の位置Ｐ２の状態で、前記底部６０における上面の延長線上と一致し、このときに押上げられた遊技球Ｎは底部６０側への移動を開始するよう設定される。すなわち、例えば球送りソレノイド３９の電圧低下や球送り体４３の動作不良等に起因して、球受け部４５の受け面４５ａが位置Ｐ１まで上昇しない事態が生じたとしても、位置Ｐ２まで上昇することで球送りを行なうことができ、確実な球送りを保証し得る。
【００１９】
そして本実施例の球送り装置Ｈでは、その余の構成として遊技球Ｎの検出機能が選択可能に付加されて、アレンジボール機(毎回の図柄組合わせゲームに所定数の遊技球Ｎが必要とされる遊技機)にも実施し得るようになっている。すなわち図３および図４に例示するように、前記ケース体３３の裏側において、直通路３４の側部に成形された凹部５１に検出具５２が着脱可能に組込まれてビス着された蓋片５３で保持されており、この検出具５２により直通路３４内の球の有無および発射位置Ｔへ１個ずつ送り出される遊技球Ｎを検出確認したりカウント検出し得るようになっている。なお検出具５２は、近接スイッチやセンサー等の無接点タイプが好適に使用可能とされて、当該遊技機のメイン基板(遊技用制御基板)の球検出回路部(共に図示しない)側に接続することもできる。また、本実施例の球送り装置Ｈのソレノイド３９と前記打球発射装置Ｆのソレノイド２３との作動については、駆動制御部でのパルス出力制御に基づいて１球分単位で設定されている。
【００２０】
【実施例の作用】
前述のように構成された本実施例のパチンコ機では、外枠Ａに対する前枠Ｂに、図１に略示する共通の遊技構成部材Ｃ,Ｄ,Ｅ,Ｆおよび所定の遊技盤Ｇが夫々装備セットされて１台毎に構成される。そして、遊技ホール内の設置枠台(図示しない)に所定の傾き起立姿勢で設置された外枠Ａに、前枠Ｂ全体を組付けセットして電源投入保持(通電保持)することにより、縦型弾球遊技機として遊技に供し得る。そして遊技の開始にあたり、打球発射装置Ｆの操作ハンドル部Ｆ1で打球操作を行なうことにより、可変抵抗器１７,スイッチ１８およびタッチスイッチ１９の検出入力条件が駆動制御部に入力されているもとで、球送り装置Ｈの球送り動作に基づいて遊技球Ｎを１球ずつ発射レール７側へ送り込んで発射位置Ｔに着座保持し、これに次いで打球作動部Ｆ2の発射ソレノイド２３の通電駆動励磁に従って直線往復動する打球杆２４で遊技球Ｎを打出すと共に発射レール７上を発射させて遊技盤Ｇ内に打込み、所要のパチンコゲームを展開し得る。
【００２１】
このようなパチンコ機に実施される本実施例の球送り装置Ｈは、基本的な球送り動作として、球送りソレノイド３９の作動制御に対する球送り体４２における球受け部４５の第１、第２の規制位置変位において、上球皿Ｄからの遊技球Ｎを１個ずつ受け入れて分離状態で送り出すようになっている。すなわち装置Ｈ自体の動作前においては、図７(ａ),図７(ｂ)および図９(ａ)に示すように、球送りソレノイド３９が休止(消磁)条件であることに対して、球送り体４３が下降端に保持されてその球受け部４５を直通路３４の出口３６より下降した第１の規制位置に臨ませている。このため上球皿Ｄ内に投入された遊技球Ｎの最先行球(第１の遊技球)Ｎは、直通路３４における出口３６の内下端(底部６０の内端)で通出阻止された状態で球受け部４５の受け面４５ａ上で停止されたまま待機する。このもとで前述した打球操作によるスイッチ１８およびタッチスイッチ１９の検出入力条件において、駆動制御部からのパルス制御により球送りソレノイド３９が励磁されると、磁着部４２および磁性片４７を介して球送り体４３が、図８(ａ),図８(ｂ)および図９(ｂ)に示すように上昇傾動し、球受け部４５は出口３６より上昇した第２の規制位置に保持される。これにより、図９(ｂ)中に想像線で例示するように、前記最先行球が球受け部４５で押上げられて出口３６から球渡し部６１を介して発射レール７の基部上に送り出され、そのまま降下して発射位置Ｔに着座静止される。そうして、この球が前記打球発射装置Ｆの打球杆２４で打出される。
【００２２】
また、球送り体４３の上昇により上球皿Ｄの球出口９内に臨む次の球(第２の遊技球)Ｎを停止して、直通路３４内の最先行球Ｎと分離することで、最先行球Ｎが次の球以降の圧力を一切受けることなく自重で出口４６裏側へ転出して発射レール７の基部上に送り出される。そして、前記球送りソレノイド３９が休止(消磁)状態に復元されることに対して球送り体４３が磁力開放されて、自重で図７(ａ),図７(ｂ)および図９(ａ)に示す下降端の第１の規制位置に復帰保持される。これにより、球送り体４３で直通路３４への通入が阻止されていた球出口９内に臨む次の球Ｎは解放されて直通路３４内に受け入れられ、該遊技球Ｎは出口３６で通出阻止された状態で球受け部４５の受け面４５ａ上で停止されたまま待機する。
【００２３】
このように本実施例の球送り装置Ｈでは、球送りソレノイド３９の１回毎の作動制御(励磁,消磁)に対する球送り体４３の昇降動作により、前述したような１球毎の分離球送り動作を行ない得るものであるから、球出口９と発射位置との間の高低落差が小さくとも正確に球送りができる。また直通路３４内に受け入れた遊技球Ｎを発射レール７に向けて送り出す際に、次の遊技球Ｎの直通路３４内への通入を阻止するので、上球皿Ｄの遊技球Ｎ(排出された賞球を含む)の増減圧力変化に影響されることなく、設定時間毎に１球ずつを円滑に送り出すことができ、これにより発射位置Ｔでの球の着座状態の安定化を維持して、打球杆２４による的確な打出しを確保することができるものである。また構成は簡単であるので、小型化を図り得ると共に安価に製造し得る。
【００２４】
前記球受け部４５における受け面４５ａに適宜の勾配を設け、第２の規制位置の直前まで上昇したときに該受け面４５ａ上の遊技球Ｎを発射レール７に向けて送り出し得るよう設定してあるので、例えば球送りソレノイド３９の電圧低下や球送り体４３の動作不良等に起因して、球受け部４５が第２の規制位置まで上昇しない事態が生じたとしても球送りを行なうことができる。なお、この装置Ｈにあって、ケース体３３に検出具５２が取着されている場合には、同検出具５２により通路３４内の球の有無や発射位置Ｔへ送り込まれる遊技球１個ずつを検出することができる。
【００２６】
【発明の効果】
以上説明した如く、本発明に係るパチンコ遊技機の球送り装置によれば、打球発射作動に対応した毎回の球送り動作において、上球皿の球出口から直通路内に受け入れた遊技球を、昇降変位する球受け部で押上げて発射レールの発射位置側へ直送するよう構成したので、球出口と発射位置との間の高低落差が小さくとも好適に実施して正確に球送りができる。従って、球送り装置を小型化し得ると共に安価に製造可能となる。また、球送り体の昇降変位により１球毎の分離球送り作動を行ない得るものであるから、上球皿の遊技球の増減圧力変化に影響されることなく、設定時間毎に１球ずつを円滑に送り出すことができ、これにより発射位置での球の着座状態の安定化を維持して、打球杆による的確な打出しを確保すると共に球飛びの安定化を図り得る利点がある。
【図面の簡単な説明】
【図１】本実施例のパチンコ機を前側開放状態で略示する正面図である。
【図２】打球発射装置および球送り装置を主に示す平断面図である。
【図３】上球皿の一部および球送り装置を示す背面図である。
【図４】球送り装置の前面側の正面図である。
【図５】球送り装置の要部を示す断面図である。
【図６】球送り体の斜視図である。
【図７】球送り装置の作動前状態を示す動作説明図である。
【図８】球送り装置の作動時状態を示す動作説明図である。
【図９】球送り装置における球受け部の作動前状態および作動時状態を示す要部動作説明図である。
【符号の説明】
７  発射レール
９  球出口
２３  発射ソレノイド
３３  ケース体
３４  直通路
３５  入口
３６  出口
３７  取着部
３８  収容室
３９  球送りソレノイド(作動手段)
４０  支持鉄片
４１  磁力発生部
４２  磁着部
４３  球送り体
４４  本体
４５  球受け部
４５ａ  受け面
４７  磁性片
４８  支軸
４９  ストッパー
５０  ストッパー
６０  底部
Ｄ  上球皿
Ｆ  打球発射装置
Ｇ  遊技盤
Ｔ  発射位置
Ｎ  遊技球
【図１】
0003890488.tif 000002
【図２】
0003890488.tif 000003
【図３】
0003890488.tif 000004
【図４】
0003890488.tif 000005
【図５】
0003890488.tif 000006
【図６】
0003890488.tif 000007
【図７】
0003890488.tif 000008
【図８】
0003890488.tif 000009
【図９】
0003890488.tif 000010